(57)【要約】【課題】回路保護機能を簡便な組付け作業で設けること。【解決手段】第１電線ＷＥ１及び第２電線ＷＥ２のそれぞれの芯線ＷＥａの中間接続部ＷＥａ１，ＷＥａ２の間に配置され且つノイズ成分を低減させるノイズ低減素子１１と、第２電線とノイズ低減素子との間に介装させた回路保護体２０と、第１電線の芯線の中間接続部をノイズ低減素子の第１接続部に対して間接的又は直接的に電気接続させる第１電気接続構造３０と、第２電線の芯線の中間接続部をノイズ低減素子の第２接続部に回路保護体を介して電気接続させる第２電気接続構造４０と、を備え、回路保護体は、ノイズ低減素子の第２接続部に対して間接的又は直接的に電気接続させる第１電気接続部２１と、第２電線の芯線の中間接続部に対して間接的又は直接的に電気接続させる第２電気接続部２２と、第１電気接続部と第２電気接続部との間に設けた可溶部２３と、を有すること。【選択図】図３
2020150351.tif 000002
【特許請求の範囲】
【請求項１】
第１電線及び第２電線のそれぞれの芯線の中間接続部の間に配置され且つノイズ成分を低減させるノイズ低減素子と、
前記第２電線と前記ノイズ低減素子との間に介装させた回路保護体と、
前記第１電線の前記芯線の前記中間接続部を前記ノイズ低減素子の第１接続部に対して間接的又は直接的に電気接続させる第１電気接続構造と、
前記第２電線の前記芯線の前記中間接続部を前記ノイズ低減素子の第２接続部に前記回路保護体を介して電気接続させる第２電気接続構造と、
を備え、
前記回路保護体は、前記ノイズ低減素子の前記第２接続部に対して間接的又は直接的に電気接続させる第１電気接続部と、前記第２電線の前記芯線の前記中間接続部に対して間接的又は直接的に電気接続させる第２電気接続部と、前記第１電気接続部と前記第２電気接続部との間に設けた可溶部と、を有することを特徴としたノイズフィルタ。
【請求項２】
前記ノイズ低減素子、前記第１電気接続構造、前記第２電気接続構造、前記第１電線及び前記第２電線が収容される収容室を有する第１筐体部材と、前記第１筐体部材の前記収容室における開口を塞ぐ第２筐体部材と、が設けられた筐体を備え、
前記回路保護体は、前記第１筐体部材又は前記第２筐体部材に設けることを特徴とした請求項１に記載のノイズフィルタ。
【請求項３】
前記ノイズ低減素子の前記第１接続部に電気接続され、前記ノイズ低減素子と共に前記収容室に収容される導電性の第１回路接続部材と、
前記ノイズ低減素子の前記第２接続部に電気接続され、前記ノイズ低減素子と共に前記収容室に収容される導電性の第２回路接続部材と、
を備え、
前記第１筐体部材は、複数の周壁体で囲まれた前記収容室を有し、
複数の前記周壁体の内の１つは、前記収容室側に傾倒し得るよう設けられ、かつ、前記収容室側への傾倒状態で前記第２回路接続部材と前記第２電線の前記芯線の前記中間接続部との間に介在させ、かつ、前記回路保護体が設けられた可倒体を備え、
前記可倒体は、前記収容室側への傾倒状態で前記第２回路接続部材に対向配置され、かつ、前記収容室側への傾倒状態で前記第２回路接続部材に接触させるべく前記第１電気接続部が設けられた第１壁面と、前記収容室側への傾倒状態で前記第２電線の前記芯線の前記中間接続部に対向配置され、かつ、前記収容室側への傾倒状態で前記第２電線の前記芯線の前記中間接続部に対して間接的又は直接的に電気接続させるべく前記第２電気接続部が設けられた第２壁面と、を有することを特徴とした請求項２に記載のノイズフィルタ。
【請求項４】
前記ノイズ低減素子の前記第１接続部に電気接続され、前記ノイズ低減素子と共に前記収容室に収容される導電性の第１回路接続部材と、
前記ノイズ低減素子の前記第２接続部に電気接続され、前記ノイズ低減素子と共に前記収容室に収容される導電性の第２回路接続部材と、
を備え、
前記第２筐体部材は、前記第１筐体部材に対する組付け完了位置で前記第２回路接続部材と前記第２電線の前記芯線の前記中間接続部との間に介在させ、かつ、前記回路保護体が設けられた介装体を有し、
前記介装体は、前記組付け完了位置で前記第２回路接続部材に対向配置され、かつ、前記組付け完了位置で前記第２回路接続部材に接触させるべく前記第１電気接続部が設けられた第１壁面と、前記組付け完了位置で前記第２電線の前記芯線の前記中間接続部に対向配置され、かつ、前記組付け完了位置で前記第２電線の前記芯線の前記中間接続部に対して間接的又は直接的に電気接続させるべく前記第２電気接続部が設けられた第２壁面と、を有することを特徴とした請求項２に記載のノイズフィルタ。
【請求項５】
前記第２電線の前記芯線の前記中間接続部に対して物理的且つ電気的に接続された電線接続部材と、
前記ノイズ低減素子の前記第２接続部と前記電線接続部材との間に介在させ、かつ、前記回路保護体が設けられた介装部材を備え、
前記介装部材は、前記ノイズ低減素子の前記第２接続部に対向配置され、かつ、前記第２接続部に接触させるべく前記第１電気接続部が設けられた第１壁面と、前記電線接続部材に対向配置され、かつ、前記電線接続部材に接触させるべく前記第２電気接続部が設けられた第２壁面と、を有することを特徴とした請求項１に記載のノイズフィルタ。
【請求項６】
第１電線及び第２電線を含む幹線と、
ノイズ成分を低減させるノイズフィルタと、
を備え、
前記ノイズフィルタは、
前記第１電線及び前記第２電線のそれぞれの芯線の中間接続部の間に配置され且つノイズ成分を低減させるノイズ低減素子と、
前記第２電線と前記ノイズ低減素子との間に介装させた回路保護体と、
前記第１電線の前記芯線の前記中間接続部を前記ノイズ低減素子の第１接続部に対して間接的又は直接的に電気接続させる第１電気接続構造と、
前記第２電線の前記芯線の前記中間接続部を前記ノイズ低減素子の第２接続部に前記回路保護体を介して電気接続させる第２電気接続構造と、
を備え、
前記回路保護体は、前記ノイズ低減素子の前記第２接続部に対して間接的又は直接的に電気接続させる第１電気接続部と、前記第２電線の前記芯線の前記中間接続部に対して間接的又は直接的に電気接続させる第２電気接続部と、前記第１電気接続部と前記第２電気接続部との間に設けた可溶部と、を有することを特徴としたワイヤハーネス。
【発明の詳細な説明】
【技術分野】
【０００１】
本発明は、ノイズフィルタ及びワイヤハーネスに関する。
【背景技術】
【０００２】
従来、電線に乗った電気的なノイズを低減させるべく、そのノイズ低減対象電線にノイズフィルタを介装させる、という技術が知られている。そのノイズフィルタは、コンデンサ等のノイズ低減素子が設けられたフィルタ回路を備えており、そのフィルタ回路をノイズ低減対象電線とアース端子との間に介在させている。この種のノイズフィルタについては、例えば、下記の特許文献１及び２に開示されている。
【先行技術文献】
【特許文献】
【０００３】
【特許文献１】特開２００６−１０００６１号公報
【特許文献２】特開２０１２−０３９２０１号公報
【発明の概要】
【発明が解決しようとする課題】
【０００４】
ところで、この種の技術においては、ヒューズやヒュージブルリンク等の回路保護部品を設置するなどして、回路保護機能を設けることが望ましい。そして、この場合には、その回路保護機能を簡便な組付け作業で設置できることが好ましい。
【０００５】
そこで、本発明は、回路保護機能を簡便な組付け作業で設けることが可能なノイズフィルタ及びワイヤハーネスを提供することを、その目的とする。
【課題を解決するための手段】
【０００６】
上記目的を達成する為、本発明に係るノイズフィルタは、第１電線及び第２電線のそれぞれの芯線の中間接続部の間に配置され且つノイズ成分を低減させるノイズ低減素子と、前記第２電線と前記ノイズ低減素子との間に介装させた回路保護体と、前記第１電線の前記芯線の前記中間接続部を前記ノイズ低減素子の第１接続部に対して間接的又は直接的に電気接続させる第１電気接続構造と、前記第２電線の前記芯線の前記中間接続部を前記ノイズ低減素子の第２接続部に前記回路保護体を介して電気接続させる第２電気接続構造と、を備え、前記回路保護体は、前記ノイズ低減素子の前記第２接続部に対して間接的又は直接的に電気接続させる第１電気接続部と、前記第２電線の前記芯線の前記中間接続部に対して間接的又は直接的に電気接続させる第２電気接続部と、前記第１電気接続部と前記第２電気接続部との間に設けた可溶部と、を有することを特徴としている。
【０００７】
ここで、前記ノイズ低減素子、前記第１電気接続構造、前記第２電気接続構造、前記第１電線及び前記第２電線が収容される収容室を有する第１筐体部材と、前記第１筐体部材の前記収容室における開口を塞ぐ第２筐体部材と、が設けられた筐体を備え、前記回路保護体は、前記第１筐体部材又は前記第２筐体部材に設けることが望ましい。
【０００８】
また、前記ノイズ低減素子の前記第１接続部に電気接続され、前記ノイズ低減素子と共に前記収容室に収容される導電性の第１回路接続部材と、前記ノイズ低減素子の前記第２接続部に電気接続され、前記ノイズ低減素子と共に前記収容室に収容される導電性の第２回路接続部材と、を備え、前記第１筐体部材は、複数の周壁体で囲まれた前記収容室を有し、複数の前記周壁体の内の１つは、前記収容室側に傾倒し得るよう設けられ、かつ、前記収容室側への傾倒状態で前記第２回路接続部材と前記第２電線の前記芯線の前記中間接続部との間に介在させ、かつ、前記回路保護体が設けられた可倒体を備え、前記可倒体は、前記収容室側への傾倒状態で前記第２回路接続部材に対向配置され、かつ、前記収容室側への傾倒状態で前記第２回路接続部材に接触させるべく前記第１電気接続部が設けられた第１壁面と、前記収容室側への傾倒状態で前記第２電線の前記芯線の前記中間接続部に対向配置され、かつ、前記収容室側への傾倒状態で前記第２電線の前記芯線の前記中間接続部に対して間接的又は直接的に電気接続させるべく前記第２電気接続部が設けられた第２壁面と、を有することが望ましい。
【０００９】
また、前記ノイズ低減素子の前記第１接続部に電気接続され、前記ノイズ低減素子と共に前記収容室に収容される導電性の第１回路接続部材と、前記ノイズ低減素子の前記第２接続部に電気接続され、前記ノイズ低減素子と共に前記収容室に収容される導電性の第２回路接続部材と、を備え、前記第２筐体部材は、前記第１筐体部材に対する組付け完了位置で前記第２回路接続部材と前記第２電線の前記芯線の前記中間接続部との間に介在させ、かつ、前記回路保護体が設けられた介装体を有し、前記介装体は、前記組付け完了位置で前記第２回路接続部材に対向配置され、かつ、前記組付け完了位置で前記第２回路接続部材に接触させるべく前記第１電気接続部が設けられた第１壁面と、前記組付け完了位置で前記第２電線の前記芯線の前記中間接続部に対向配置され、かつ、前記組付け完了位置で前記第２電線の前記芯線の前記中間接続部に対して間接的又は直接的に電気接続させるべく前記第２電気接続部が設けられた第２壁面と、を有することが望ましい。
【００１０】
また、前記第２電線の前記芯線の前記中間接続部に対して物理的且つ電気的に接続された電線接続部材と、前記ノイズ低減素子の前記第２接続部と前記電線接続部材との間に介在させ、かつ、前記回路保護体が設けられた介装部材を備え、前記介装部材は、前記ノイズ低減素子の前記第２接続部に対向配置され、かつ、前記第２接続部に接触させるべく前記第１電気接続部が設けられた第１壁面と、前記電線接続部材に対向配置され、かつ、前記電線接続部材に接触させるべく前記第２電気接続部が設けられた第２壁面と、を有することが望ましい。
【００１１】
また、上記目的を達成する為、本発明に係るワイヤハーネスは、第１電線及び第２電線を含む幹線と、ノイズ成分を低減させるノイズフィルタと、を備え、前記ノイズフィルタは、前記第１電線及び前記第２電線のそれぞれの芯線の中間接続部の間に配置され且つノイズ成分を低減させるノイズ低減素子と、前記第２電線と前記ノイズ低減素子との間に介装させた回路保護体と、前記第１電線の前記芯線の前記中間接続部を前記ノイズ低減素子の第１接続部に対して間接的又は直接的に電気接続させる第１電気接続構造と、前記第２電線の前記芯線の前記中間接続部を前記ノイズ低減素子の第２接続部に前記回路保護体を介して電気接続させる第２電気接続構造と、を備え、前記回路保護体は、前記ノイズ低減素子の前記第２接続部に対して間接的又は直接的に電気接続させる第１電気接続部と、前記第２電線の前記芯線の前記中間接続部に対して間接的又は直接的に電気接続させる第２電気接続部と、前記第１電気接続部と前記第２電気接続部との間に設けた可溶部と、を有することを特徴としている。
【発明の効果】
【００１２】
本発明に係るノイズフィルタは、自らに回路保護体が設けられているので、第１電線及び第２電線に取り付けるだけで回路保護機能を持たせることができる。従って、本発明に係るノイズフィルタは、回路保護機能を簡便な組付け作業で設けることができる。また、本発明に係るワイヤハーネスは、そのようなノイズフィルタを具備するものであり、このノイズフィルタが得られる効果を奏することができる。
【図面の簡単な説明】
【００１３】
【図１】図１は、実施形態のノイズフィルタ及びワイヤハーネスを示す分解斜視図である。
【図２】図２は、実施形態のノイズフィルタ及びワイヤハーネスを示す斜視図である。
【図３】図３は、図２のＸ１−Ｘ１線断面図である。
【図４】図４は、フィルタ回路を示す斜視図である。
【図５】図５は、第１筐体部材を示す斜視図である。
【図６】図６は、第１筐体部材を別角度から見た斜視図である。
【図７】図７は、第２筐体部材を示す斜視図である。
【図８】図８は、実施形態のノイズフィルタの組付け工程について説明する断面図である。
【図９】図９は、実施形態のノイズフィルタの組付け工程について説明する断面図である。
【図１０】図１０は、実施形態のノイズフィルタの組付け工程について説明する断面図である。
【図１１】図１１は、変形例１のノイズフィルタ及びワイヤハーネスを示す分解斜視図である。
【図１２】図１２は、変形例１のノイズフィルタ及びワイヤハーネスを示す斜視図である。
【図１３】図１３は、図１２のＸ２−Ｘ２線断面図である。
【図１４】図１４は、フィルタ回路を示す斜視図である。
【図１５】図１５は、第２筐体部材を示す斜視図である。
【図１６】図１６は、第２筐体部材を別角度から見た斜視図である。
【図１７】図１７は、変形例１のノイズフィルタの組付け工程について説明する断面図である。
【図１８】図１８は、変形例１のノイズフィルタの組付け工程について説明する断面図である。
【図１９】図１９は、変形例２のノイズフィルタ及びワイヤハーネスを示す分解斜視図である。
【図２０】図２０は、変形例２のノイズフィルタ及びワイヤハーネスを示す斜視図である。
【図２１】図２１は、図２０のＹ−Ｙ線断面図である。
【図２２】図２２は、変形例２のノイズフィルタから第２筐体部材を取り外した上面図である。
【図２３】図２３は、回路保護体と介装部材の分解斜視図である。
【図２４】図２４は、回路保護体と介装部材の組付け状態を示す斜視図である。
【図２５】図２５は、変形例２のノイズフィルタを示す分解斜視図である。
【図２６】図２６は、回路保護体が設けられた介装部材の変形形態を示す斜視図である。
【図２７】図２７は、回路保護体が設けられた介装部材の変形形態を別角度から見た斜視図である。
【図２８】図２８は、回路保護部材を示す斜視図である。
【発明を実施するための形態】
【００１４】
以下に、本発明に係るノイズフィルタ及びワイヤハーネスの実施形態を図面に基づいて詳細に説明する。尚、この実施形態によりこの発明が限定されるものではない。
【００１５】
［実施形態］
本発明に係るノイズフィルタ及びワイヤハーネスの実施形態の１つを図１から図１０に基づいて説明する。
【００１６】
図１から図３の符号１は、本実施形態のノイズフィルタを示す。このノイズフィルタ１は、２本の電線（第１電線ＷＥ１、第２電線ＷＥ２）の中間部分同士をフィルタ回路で繋いだノイズ低減装置であり、２本の電線の内の一方を接地させ、その内の他方に乗った電気的なノイズ成分をフィルタ回路のノイズ低減素子で低減させる。その２本の電線は、例えば、車両のワイヤハーネスＷＨの幹線ＷＴが備える複数本の電線の内の２本であって、一方の電線がアース線として接地され、他方の電線が電源線として利用される。その電源線には、例えば、デフォッガやハイマウントストップランプ等の負荷が電気的に接続されている。ノイズフィルタ１は、その２本の電線に接続することによって、ワイヤハーネスＷＨの構成要素の１つとなる。以下に例示するワイヤハーネスＷＨにおいては、第１電線ＷＥ１を電源線として利用し、第２電線ＷＥ２をアース線として利用する。第１電線ＷＥ１は、一方の端部が電源（例えば、車両の二次電池）に対して電気的に接続され、他方の端部が負荷に対して電気的に接続されている。また、第２電線ＷＥ２は、一方の端部が接地されている。第１電線ＷＥ１と第２電線ＷＥ２は、各々、導電性の芯線ＷＥａと、この芯線ＷＥａの外周面を覆う絶縁性の被覆ＷＥｂと、を備える。
【００１７】
ノイズフィルタ１は、ノイズ成分を低減させるフィルタ回路１０を備えるノイズ低減装置であり（図１、図３及び図４）、例えば、第１電線ＷＥ１に乗った電気的なノイズ成分をフィルタ回路１０で低減させる。
【００１８】
フィルタ回路１０は、第１電線ＷＥ１の中間部分に位置している芯線ＷＥａの一部分と第２電線ＷＥ２の中間部分に位置している芯線ＷＥａの一部分との間に介在させ、それぞれの芯線ＷＥａに対して電気的に接続させる。以下においては、その第１電線ＷＥ１の中間部分に位置している芯線ＷＥａの一部分を「中間接続部ＷＥａ１」と称し、かつ、第２電線ＷＥ２の中間部分に位置している芯線ＷＥａの一部分を「中間接続部ＷＥａ２」と称する。また、以下においては、その第１電線ＷＥ１の芯線ＷＥａの中間接続部ＷＥａ１のことを「第１電線ＷＥ１の中間接続部ＷＥａ１」と簡略化し、かつ、その第２電線ＷＥ２の芯線ＷＥａの中間接続部ＷＥａ２のことを「第２電線ＷＥ２の中間接続部ＷＥａ２」と簡略化する。
【００１９】
このフィルタ回路１０は、その第１電線ＷＥ１の中間接続部ＷＥａ１と第２電線ＷＥ２の中間接続部ＷＥａ２との間に介在させ、それぞれの中間接続部ＷＥａ１，ＷＥａ２に対して電気的に接続させる（図３）。
【００２０】
フィルタ回路１０は、ノイズ成分を低減させる少なくとも１つのノイズ低減素子１１を備える（図１、図３及び図４）。このノイズ低減素子１１は、ノイズフィルタ１の回路構成でノイズの低減を図り得るものであれば、如何様なものを用いてもよい。例えば、ノイズ低減素子１１としては、コンデンサやコイル等が考えられる。このフィルタ回路１０では、ノイズ低減素子１１として２つのコンデンサを備えており、この２つのコンデンサでノイズの低減を図ることができるように構成する（図１、図３及び図４）。
【００２１】
この例示の第１電線ＷＥ１と第２電線ＷＥ２は、後述するように、互いの軸線方向を同じ方向に向けて並列配置されている。ノイズ低減素子１１は、その第１電線ＷＥ１と第２電線ＷＥ２のそれぞれの中間接続部ＷＥａ１，ＷＥａ２の間に配置する。この例示の２つのノイズ低減素子１１は、第１電線ＷＥ１と第２電線ＷＥ２のそれぞれの中間接続部ＷＥａ１，ＷＥａ２の間にて、第１電線ＷＥ１と第２電線ＷＥ２のそれぞれの軸線方向に沿って並べて配置している。
【００２２】
更に、このフィルタ回路１０は、ノイズ低減素子１１の第１接続部（以下、「第１素子接続部」という。）に電気接続される導電性の第１接続部材（以下、「第１回路接続部材」という。）１２と、そのノイズ低減素子１１の第２接続部（以下、「第２素子接続部」という。）に電気接続される導電性の第２接続部材（以下、「第２回路接続部材」という。）１３と、を備える（図１、図３及び図４）。尚、第１素子接続部と第２素子接続部については、図示を省略している。
【００２３】
第１回路接続部材１２と第２回路接続部材１３は、ノイズ低減素子１１を介して互いを電気的に接続させる導電部材である。この例示の第１回路接続部材１２と第２回路接続部材１３は、各々、金属等の導電性材料で板状のバスバとして成形されている。
【００２４】
第１回路接続部材１２は、素子側接続部として利用される素子側接続体１２ａと、電線側接続部として利用される電線側接続体１２ｂと、を有する（図１、図３及び図４）。この例示の素子側接続体１２ａと電線側接続体１２ｂは、各々、平面に対する直交方向を同じ向きとする矩形の平板状に形成されている。
【００２５】
この例示の素子側接続体１２ａは、２つの平面の内の一方が素子側接続部として利用され、その平面にノイズ低減素子１１の第１素子接続部が電気接続される（図１、図３及び図４）。
【００２６】
また、電線側接続体１２ｂには、弾性変形が可能な弾性接点１２ｃを設けている（図１、図３及び図４）。その弾性接点１２ｃは、電線側接続部として利用され、第１電線ＷＥ１の中間接続部ＷＥａ１に対して間接的又は直接的に電気接続させる。この例示の弾性接点１２ｃは、電線側接続体１２ｂの一部であり、この電線側接続体１２ｂから自由端側を浮き上がらせた片持ちの片体状で且つ弾性を持つ片部として形成している。
【００２７】
ここで、この第１回路接続部材１２は、第１電線ＷＥ１と第２電線ＷＥ２とを併走させるべく、素子側接続体１２ａに対して電線側接続体１２ｂを第１電線ＷＥ１側にオフセットさせている（図１、図３及び図４）。そのオフセット量は、後述する可倒体５３と回路保護体２０の厚さ分に設定する。
【００２８】
第２回路接続部材１３は、素子側接続部及び電線側接続部として利用される１つの接続部材である（図１、図３及び図４）。この例示の第２回路接続部材１３は、矩形の平板状に形成されている。この例示の第２回路接続部材１３は、２つの平面の内の一方が素子側接続部として利用され、その平面にノイズ低減素子１１の第２素子接続部が電気接続される。また、この例示の第２回路接続部材１３には、弾性変形が可能な弾性接点１３ａを設けている（図１、図３及び図４）。その弾性接点１３ａは、電線側接続部として利用され、第２電線ＷＥ１の中間接続部ＷＥａ２に対して間接的又は直接的に電気接続させる。この例示の弾性接点１３ａは、先に示した弾性接点１２ｃと同様のものとして形成している。つまり、この弾性接点１３ａは、第２回路接続部材１３の一部であり、この第２回路接続部材１３から自由端側を浮き上がらせた片持ちの片体状で且つ弾性を持つ片部として形成している。
【００２９】
このフィルタ回路１０においては、互いに間隔を空けて並列配置された第１回路接続部材１２と第２回路接続部材１３に対してノイズ低減素子１１を載せ置いた上で、これらを物理的且つ電気的に接続させる。ここでは、第１回路接続部材１２の素子側接続体１２ａの一方の平面にノイズ低減素子１１の第１素子接続部が載せ置かれ、第２回路接続部材１３の一方の平面にノイズ低減素子１１の第２素子接続部が載せ置かれる。各々の接続形態としては、ノイズ低減素子１１の第１素子接続部や第２素子接続部の形態に応じて、例えば溶着や半田付け等が適用される。
【００３０】
このフィルタ回路１０においては、そのようなノイズ低減素子１１と第１及び第２の回路接続部材１２，１３の接続によって、ノイズ低減素子１１を間に置いて、それぞれの弾性接点１２ｃ，１３ａが配置される。このノイズフィルタ１においては、これらのノイズ低減素子１１とそれぞれの弾性接点１２ｃ，１３ａの配列方向に対する直交方向が軸線方向となるように、第１電線ＷＥ１と第２電線ＷＥ２とを配置する。その第１電線ＷＥ１と第２電線ＷＥ２は、後述する筐体５０の収容室５０ａに並列配置状態で収容して、その収容室５０ａの中で併走させる。
【００３１】
この例示のフィルタ回路１０においては、２つのノイズ低減素子１１が絶縁性のモールド体１４で覆われている（図１、図３及び図４）。そのモールド体１４は、２つのノイズ低減素子１１と第１回路接続部材１２の素子側接続体１２ａと第２回路接続部材１３との間に注入したモールド剤の固化物であり、２つのノイズ低減素子１１と素子側接続体１２ａとの接続部分及び２つのノイズ低減素子１１と第２回路接続部材１３との接続部分についても覆っている。
【００３２】
このノイズフィルタ１は、第１電線ＷＥ１とノイズ低減素子１１との間又は第２電線ＷＥ２とノイズ低減素子１１との間に回路保護体２０を設けている（図１及び図３から図６）。この例示では、第２電線ＷＥ２とノイズ低減素子１１との間に回路保護体２０を介装させている。回路保護体２０は、所謂ヒューズとしての機能を為すためのものである。この回路保護体２０は、ノイズ低減素子１１の第２素子接続部に対して間接的に電気接続させる第１電気接続部２１と、第２電線ＷＥ２の中間接続部ＷＥａ２に対して間接的又は直接的に電気接続させる第２電気接続部２２と、第１電気接続部２１と第２電気接続部２２との間に設けた可溶部２３と、を有する（図５及び図６）。この回路保護体２０においては、第１電気接続部２１と第２電気接続部２２の体積に対して可溶部２３の体積を極小にしている。
【００３３】
この例示では、第１電気接続部２１を第２回路接続部材１３の弾性接点１３ａに対向配置させ且つ接触させることによって、この第１電気接続部２１をノイズ低減素子１１の第２素子接続部に対して間接的に電気接続させる。また、この例示では、第２電気接続部２２を第２電線ＷＥ２の中間接続部ＷＥａ２に対向配置させ且つ間接的又は直接的に接触させることによって、この第２電気接続部２２を第２電線ＷＥ２の中間接続部ＷＥａ２に対して間接的又は直接的に電気接続させる。
【００３４】
このノイズフィルタ１は、第１電線ＷＥ１の中間接続部ＷＥａ１をノイズ低減素子１１の第１接続部に対して間接的又は直接的に電気接続させる第１電気接続構造３０と、第２電線ＷＥ２の中間接続部ＷＥａ２をノイズ低減素子１１の第２接続部に回路保護体２０を介して電気接続させる第２電気接続構造４０と、を備える（図１及び図３）。
【００３５】
第１電気接続構造３０は、第１回路接続部材１２と、この第１回路接続部材１２の弾性接点１２ｃとの間で第１電線ＷＥ１の中間接続部ＷＥａ１に対して間接的又は直接的に弾性接点１２ｃに向けた押圧力を作用させる第１押圧体３１と、を備える（図３及び図７）。つまり、この第１電気接続構造３０は、弾性接点１２ｃと第１電線ＷＥ１の中間接続部ＷＥａ１と第１押圧体３１とを一列に並べて配置し、これらの配列方向に沿って、弾性接点１２ｃと中間接続部ＷＥａ１との間を間接的又は直接的に電気接続させる。その第１押圧体３１は、後述するように第２筐体部材５２に設け、第１筐体部材５１と第２筐体部材５２との組付け完了位置で押圧力を作用させる。
【００３６】
この例示の第１電気接続構造３０は、第１電線ＷＥ１の中間接続部ＷＥａ１に対して物理的且つ電気的に接続されると共に、第１押圧体３１の押圧力で第１回路接続部材１２の弾性接点１２ｃに押し付けられる電線接続部材３２を備えている（図１及び図３）。つまり、この例示の第１電気接続構造３０においては、その電線接続部材３２を介して第１押圧体３１の押圧力を第１電線ＷＥ１の中間接続部ＷＥａ１に間接的に作用させ、かつ、その押圧力で電線接続部材３２を弾性接点１２ｃに押し付けることによって、弾性接点１２ｃと中間接続部ＷＥａ１との間を間接的に電気接続させる。
【００３７】
この例示の電線接続部材３２は、金属等の導電性材料で成形されている。例えば、この電線接続部材３２は、矩形の金属板を第１電線ＷＥ１の中間接続部ＷＥａ１に対して巻き付けながら加締めていくことによって、その中間接続部ＷＥａ１に対して物理的且つ電気的に接続された筒状部材となる。この例示の電線接続部材３２は、円筒状に成形している（図１及び図３）。
【００３８】
第２電気接続構造４０は、第２回路接続部材１３と、第１電気接続部２１を第２回路接続部材１３の弾性接点１３ａに接触させ、かつ、第２電気接続部２２を第２電線ＷＥ２の中間接続部ＷＥａ２に対して間接的又は直接的に電気接続させる回路保護体２０と、その回路保護体２０が設けられた後述する可倒体５３と、弾性接点１３ａとの間で第２電線ＷＥ２の中間接続部ＷＥａ２に対して間接的又は直接的に弾性接点１３ａに向けた押圧力を作用させる第２押圧体４１と、を備える（図３及び図７）。つまり、この第２電気接続構造４０は、弾性接点１３ａと第１電気接続部２１と可倒体５３と第２電気接続部２２と第２電線ＷＥ２の中間接続部ＷＥａ２と第２押圧体４１とを一列に並べて配置し、これらの配列方向に沿って、弾性接点１３ａと第１電気接続部２１との間を直接的に電気接続させ、かつ、第２電気接続部２２と中間接続部ＷＥａ２との間を間接的又は直接的に電気接続させる。その第２押圧体４１は、後述するように第２筐体部材５２に設け、第１筐体部材５１と第２筐体部材５２との組付け完了位置で押圧力を作用させる。
【００３９】
この例示の第２電気接続構造４０は、第２電線ＷＥ２の中間接続部ＷＥａ２に対して物理的且つ電気的に接続されると共に、第２押圧体４１の押圧力で第２回路接続部材１３の弾性接点１３ａに押し付けられる電線接続部材４２を備えている（図１及び図３）。つまり、この例示の第２電気接続構造４０においては、その電線接続部材４２を介して第２押圧体４１の押圧力を第２電線ＷＥ２の中間接続部ＷＥａ２に間接的に作用させ、かつ、その押圧力で電線接続部材４２を第２電気接続部２２に押し付けることによって、第２電気接続部２２と中間接続部ＷＥａ２との間を間接的に電気接続させる。また、この第２電気接続構造４０においては、その押圧力で第１電気接続部２１を弾性接点１３ａに押し付けることによって、弾性接点１３ａと第１電気接続部２１との間を直接的に電気接続させる。
【００４０】
この例示の電線接続部材４２は、金属等の導電性材料で成形されている。例えば、この電線接続部材４２は、矩形の金属板を第２電線ＷＥ２の中間接続部ＷＥａ２に対して巻き付けながら加締めていくことによって、その中間接続部ＷＥａ２に対して物理的且つ電気的に接続された筒状部材となる。この例示の電線接続部材４２は、円筒状に成形している（図１及び図３）。
【００４１】
ここで、第１電線ＷＥ１と第２電線ＷＥ２とが丸導体等の単線を芯線ＷＥａとして備えるものであるならば、第１電気接続構造３０と第２電気接続構造４０は、電線接続部材３２や電線接続部材４２を備えずともよい。また、第１電気接続構造３０と第２電気接続構造４０は、第１電線ＷＥ１と第２電線ＷＥ２とが複数本の素線の集合体を芯線ＷＥａとして備えるものであったとしても、それぞれの中間接続部ＷＥａ１，ＷＥａ２における複数本の素線を熱圧着等で溶着して一纏めに固着させることによって、電線接続部材３２や電線接続部材４２を備えないようにしてもよい。この場合の第１電気接続構造３０においては、第１押圧体３１の押圧力を第１電線ＷＥ１の中間接続部ＷＥａ１に直接的に作用させ、かつ、その押圧力で中間接続部ＷＥａ１を弾性接点１２ｃに押し付けることによって、弾性接点１２ｃと中間接続部ＷＥａ１との間が直接的に電気接続される。また、この場合の第２電気接続構造４０においては、第２押圧体４１の押圧力を第２電線ＷＥ２の中間接続部ＷＥａ２に直接的に作用させることによって、その押圧力で中間接続部ＷＥａ２が第２電気接続部２２に押し付けられ、かつ、その押圧力で第１電気接続部２１が弾性接点１３ａに押し付けられる。よって、この第２電気接続構造４０においては、第２電気接続部２２と中間接続部ＷＥａ２との間が直接的に電気接続され、かつ、弾性接点１３ａと第１電気接続部２１との間が直接的に電気接続される。
【００４２】
このノイズフィルタ１は、収容室５０ａが形成された筐体５０を備える（図１）。その筐体５０は、合成樹脂等の絶縁性材料で成形する。この筐体５０においては、その収容室５０ａが少なくとも１つの開口を有しており、その開口がノイズ低減素子１１等を収容室５０ａに収容する際の挿入口５０ｂとして利用される（図１、図５及び図６）。この例示では、互いに組み付けられることによって筐体５０を成す第１筐体部材５１と第２筐体部材５２とが設けられている（図１から図３）。この筐体５０においては、第１電線ＷＥ１におけるそれぞれの端部側が内方の収容室５０ａから外方へと引き出され、かつ、第２電線ＷＥ２におけるそれぞれの端部側が内方の収容室５０ａから外方へと引き出される。
【００４３】
第１筐体部材５１は、収容箱であり、ノイズ低減素子１１、第１電気接続構造３０、第２電気接続構造４０、第１電線ＷＥ１及び第２電線ＷＥ２が収容される収容室５０ａを有している（図１、図５及び図６）。その収容室５０ａには、ノイズ低減素子１１と共に第１回路接続部材１２と第２回路接続部材１３とが収容される。また、この収容室５０ａは、挿入口５０ｂとしての１つの開口を有している。
【００４４】
第１筐体部材５１は、主壁体５１ａと、この主壁体５１ａの周縁部から立設させた複数の周壁体５１ｂ−５１ｅと、を有する（図１、図５及び図６）。この例示の第１筐体部材５１は、矩形の平板状の主壁体５１ａと、この主壁体５１ａの４つの辺部から各々同じ向きに垂設させた矩形の平板状の第１から第４の周壁体５１ｂ−５１ｅと、を有している。この第１筐体部材５１では、第１周壁体５１ｂと第２周壁体５１ｃとが互いに間隔を空けて対向配置され、第３周壁体５１ｄと第４周壁体５１ｅとが互いに間隔を空けて対向配置されている。この第１筐体部材５１においては、主壁体５１ａと第１から第４の周壁体５１ｂ−５１ｅとで囲まれた空間が収容室５０ａとなる。また、この第１筐体部材５１においては、第１から第４の周壁体５１ｂ−５１ｅの縁部から成る矩形の開口が挿入口５０ｂとして利用される。
【００４５】
主壁体５１ａには、収容室５０ａに収容されたフィルタ回路１０を設置する（図３）。例えば、この主壁体５１ａの内壁面５１ａ１には、第１回路接続部材１２の素子側接続体１２ａと第２回路接続部材１３のそれぞれの他方の平面を載せ置き（図３）、係合機構（図示略）で固定する。その係合機構とは、例えば、主壁体５１ａの内壁面５１ａ１の複数箇所に設けた爪部等の係止部で素子側接続体１２ａと第２回路接続部材１３を保持するロック機構のことである。この場合には、例えば、素子側接続体１２ａと第２回路接続部材１３にノイズ低減素子１１を予め接続しておく。
【００４６】
また、第１筐体部材５１は、第１回路接続部材１２の素子側接続体１２ａと第２回路接続部材１３に対しての一体成形品とすることによって、その素子側接続体１２ａと第２回路接続部材１３とを主壁体５１ａの内壁面５１ａ１側に設置してもよい。この場合には、素子側接続体１２ａと第２回路接続部材１３におけるそれぞれの一方の平面（ノイズ低減素子１１との接続面）を収容室５０ａ側に露出させておく。例えば、ノイズ低減素子１１は、第１筐体部材５１の一体成形の後で素子側接続体１２ａと第２回路接続部材１３とに接続してもよく、その一体成形の前に素子側接続体１２ａと第２回路接続部材１３とに接続してもよい。
【００４７】
第２筐体部材５２は、第１筐体部材５１の収容室５０ａにおける開口（挿入口５０ｂ）を塞ぐための蓋部材として用意されている。この第２筐体部材５２は、第１筐体部材５１に対する組付け完了位置で挿入口５０ｂを塞ぐ閉塞壁体５２ａと、この閉塞壁体５２ａの周縁部から立設させた複数の周壁体５２ｂ−５２ｅと、を有する（図７）。この例示の第２筐体部材５２は、矩形の平板状の閉塞壁体５２ａと、この閉塞壁体５２ａの４つの辺部から各々同じ向きに垂設させた矩形の平板状の第１から第４の周壁体５２ｂ−５２ｅと、を有している。この第２筐体部材５２では、第１周壁体５２ｂと第２周壁体５２ｃとが互いに間隔を空けて対向配置され、第３周壁体５２ｄと第４周壁体５２ｅとが互いに間隔を空けて対向配置されている。
【００４８】
この第２筐体部材５２には、第１電気接続構造３０の第１押圧体３１と第２電気接続構造４０の第２押圧体４１とが設けられている（図３及び図７）。この例示では、閉塞壁体５２ａの内壁面５２ａ１に第１押圧体３１と第２押圧体４１とを設けている。この例示の第１押圧体３１と第２押圧体４１は、各々、その内壁面５２ａ１から自由端側を浮き上がらせた片持ちの片体状で且つ弾性を持つ片部として形成している。また、この例示の第１押圧体３１と第２押圧体４１は、各々、２つずつ設けている。
【００４９】
この例示の筐体５０においては、第１筐体部材５１と第２筐体部材５２との組付けが完了しているときに、それぞれの第１周壁体５１ｂ，５２ｂ同士を対向配置させ、かつ、それぞれの第２周壁体５１ｃ，５２ｃ同士を対向配置させ、かつ、それぞれの第３周壁体５１ｄ，５２ｄ同士を対向配置させ、かつ、それぞれの第４周壁体５１ｅ，５２ｅ同士を対向配置させる。
【００５０】
この筐体５０においては、対向配置状態の第１周壁体５１ｂ，５２ｂと対向配置状態の第２周壁体５１ｃ，５２ｃから第１電線ＷＥ１と第２電線ＷＥ２とを外方に引き出させる。そこで、それぞれの第１周壁体５１ｂ，５２ｂには、各々、第１電線ＷＥ１の一方の端部側を外方に引き出させる第１引出口５１ｂ１，５２ｂ１と、第２電線ＷＥ２の一方の端部側を外方に引き出させる第２引出口５１ｂ２，５２ｂ２と、が形成されている（図１及び図５から図７）。それぞれの第１周壁体５１ｂ，５２ｂにおいては、第１引出口５１ｂ１，５２ｂ１同士を対向配置させ、かつ、第２引出口５１ｂ２，５２ｂ２同士を対向配置させる。また、それぞれの第２周壁体５１ｃ，５２ｃには、各々、第１電線ＷＥ１の他方の端部側を外方に引き出させる第３引出口５１ｃ１，５２ｃ１と、第２電線ＷＥ２の他方の端部側を外方に引き出させる第４引出口５１ｃ２，５２ｃ２と、が形成されている（図１及び図５から図７）。それぞれの第２周壁体５１ｃ，５２ｃにおいては、第３引出口５１ｃ１，５２ｃ１同士を対向配置させ、かつ、第４引出口５１ｃ２，５２ｃ２同士を対向配置させる。
【００５１】
このノイズフィルタ１においては、第１筐体部材５１に回路保護体２０を設ける。この例示では、第１筐体部材５１における第１から第４の周壁体５１ｂ−５１ｅの内の１つに回路保護体２０を設ける。ここでは、第４周壁体５１ｅに回路保護体２０を設けている。
【００５２】
具体的に、その第４周壁体５１ｅは、収容室５０ａ側に傾倒し得るよう設けられた可倒体５３を備える（図１、図５及び図６）。回路保護体２０は、その可倒体５３に設ける。
【００５３】
可倒体５３は、収容室５０ａ側への傾倒状態で第２回路接続部材１３と第２電線ＷＥ２の中間接続部ＷＥａ２との間に介在させ、これに伴い、回路保護体２０の第１電気接続部２１を第２回路接続部材１３に対向配置させると共に、回路保護体２０の第２電気接続部２２を第２電線ＷＥ２の中間接続部ＷＥａ２に対向配置させる。そこで、この可倒体５３は、収容室５０ａ側への傾倒状態で第２回路接続部材１２に対向配置され、かつ、収容室５０ａ側への傾倒状態で第２回路接続部材１２に接触させるべく第１電気接続部２１が設けられた第１壁面５３ａを有している（図６）。更に、この可倒体５３は、収容室５０ａ側への傾倒状態で第２電線ＷＥ２の中間接続部ＷＥａ２に対して間接的又は直接的に電気接続させるべく第２電気接続部２２が設けられた第２壁面５３ｂを有している（図５）。
【００５４】
ここでは、中間接続部ＷＥａ２が電線接続部材４２を有している場合、可倒体５３が収容室５０ａ側に傾倒しているときに、その電線接続部材４２を介して中間接続部ＷＥａ２に第２電気接続部２２が間接的に電気接続される。また、先に示したが如く中間接続部ＷＥａ２が電線接続部材４２を有していない場合には、可倒体５３が収容室５０ａ側に傾倒しているときに、中間接続部ＷＥａ２に第２電気接続部２２が直接的に電気接続される。
【００５５】
この例示の可倒体５３は、矩形の平板状に形成されている。この可倒体５３は、４つの辺部の内の１つが挿入口５０ｂを成す縁部となり、その辺部に対向配置されているもう１つの辺部を起点にして傾倒させる。
【００５６】
この例示の可倒体５３は、一方の矩形の平面（収容室５０ａ側の平面）を第１壁面５３ａとし、他方の矩形の平面（収容室５０ａに対する外側の平面）を第２壁面５３ｂとしている。その第１壁面５３ａには、矩形に形成された第１電気接続部２１を設けている。ここでは、第１電気接続部２１が第１壁面５３ａと同一の平面を有し、その平面が第２回路接続部材１３の弾性接点１３ａに対する接触面となるように、第１電気接続部２１を第１壁面５３ａに設ける。更に、第２壁面５３ｂには、矩形に形成された第２電気接続部２２を設けている。ここでは、第２電気接続部２２が第２壁面５３ｂと同一の平面を有し、その平面が第２電線ＷＥ２の中間接続部ＷＥａ２側に対する接触面となるように、第２電気接続部２２を第２壁面５３ｂに設ける。また更に、この例示の可倒体５３においては、挿入口５０ｂを成す縁部としての辺部の端面に可溶部２３を設けている。例えば、可倒体５３は、回路保護体２０における少なくとも第１電気接続部２１と第２電気接続部２２のそれぞれの接触面を露出させたインサート成形で形成する。また、回路保護体２０は、可倒体５３の表面（第１壁面５３ａや第２壁面５３ｂ等）に対してメッキ加工によって設けられたものであってもよい。
【００５７】
この可倒体５３は、第４周壁体５１ｅに対して一体になって形成されたものであってもよく、第１筐体部材５１とは別の絶縁性の部品として成形されたものであってもよい。この例示では、前者を適用しているので、可倒体５３を収容室５０ａ側に傾倒させるためのヒンジ５４を第４周壁体５１ｅが備えている（図５及び図６）。そのヒンジ５４は、可倒体５３の傾倒起点となる辺部に所謂リビングヒンジとして形成している。尚、後者を適用する場合には、別部品としての可倒体５３と第４周壁体５１ｅとを傾倒自在に接続させるべく、例えば、傾倒起点となる辺部に回動軸を設ければよい。
【００５８】
このノイズフィルタ１においては、フィルタ回路１０が第１筐体部材５１の収容室５０ａに収容されるまで、可倒体５３を収容室５０ａ側に傾倒させずに、第４周壁体５１ｅと略同一の平面上に配置しておく（図８）。このノイズフィルタ１においては、フィルタ回路１０を収容室５０ａに収容した後、回路保護体２０と共に可倒体５３を収容室５０ａ側に傾倒させ、その回路保護体２０の第１電気接続部２１を第２回路接続部材１３の弾性接点１３ａに対向配置させる（図９）。その後、このノイズフィルタ１においては、第１電線ＷＥ１の中間接続部ＷＥａ１と第２電線ＷＥ２の中間接続部ＷＥａ２とを挿入口５０ｂから収容室５０ａに収容する（図１０）。その第１電線ＷＥ１と第２電線ＷＥ２の収容に際して、第１筐体部材５１においては、第１電線ＷＥ１が第１引出口５１ｂ１と第３引出口５１ｃ１とに挿入され、第２電線ＷＥ２が第２引出口５１ｂ２と第４引出口５１ｃ２とに挿入される。
【００５９】
このノイズフィルタ１においては、その第１筐体部材５１に第２筐体部材５２を組み付ける（図３）。ここでは、挿入口５０ｂを塞ぎ、かつ、第１電線ＷＥ１を第１引出口５２ｂ１と第３引出口５２ｃ１とに挿入させると共に、第２電線ＷＥ２を第２引出口５２ｂ２と第４引出口５２ｃ２とに挿入させるように、第２筐体部材５２を第１筐体部材５１に組み付ける。この例示のノイズフィルタ１においては、その第１筐体部材５１と第２筐体部材５２との組付けが完了したときに、電線接続部材３２を介して第１押圧体３１の押圧力が第１電線ＷＥ１の中間接続部ＷＥａ１に間接的に作用し、かつ、その押圧力で電線接続部材３２が弾性接点１２ｃに押し付けられるので、弾性接点１２ｃと中間接続部ＷＥａ１との間が間接的に電気接続させられる。また、この例示のノイズフィルタ１においては、その第１筐体部材５１と第２筐体部材５２との組付けが完了したときに、電線接続部材４２を介して第２押圧体４１の押圧力が第２電線ＷＥ２の中間接続部ＷＥａ２に間接的に作用し、かつ、その押圧力で電線接続部材４２が第２電気接続部２２に押し付けられるので、第２電気接続部２２と中間接続部ＷＥａ２との間が間接的に電気接続させられる。また、このノイズフィルタ１においては、その第１筐体部材５１と第２筐体部材５２との組付けが完了したときに、その第２押圧体４１の押圧力で第１電気接続部２１が弾性接点１３ａに押し付けられるので、弾性接点１３ａと第１電気接続部２１との間が直接的に電気接続させられる。
【００６０】
例えば、このノイズフィルタ１は、第１電線ＷＥ１及び第２電線ＷＥ２と共に幹線ＷＴに粘着テープ（図示略）等で固定して、その幹線ＷＴに抱きかかえさせる。これにより、第１電線ＷＥ１と第２電線ＷＥ２へのノイズフィルタ１の取り付けが完了する。
【００６１】
以上示したように、本実施形態のノイズフィルタ１は、自らに回路保護体２０が設けられているので、第１電線ＷＥ１及び第２電線ＷＥ２に取り付けるだけで回路保護機能を持たせることができる。従って、本実施形態のノイズフィルタ１は、回路保護機能を簡便な組付け作業で設けることができる。更に、本実施形態のノイズフィルタ１は、回路保護体２０を可倒体５３と共に第１筐体部材５１に予め設置しておくことによって、組付け工程の中で可倒体５３を収容室５０ａ側に傾倒させるだけで、回路保護体２０を組み付けることができる。つまり、このノイズフィルタ１は、可倒体５３を収容室５０ａ側に傾倒させるだけの簡便な作業で、回路保護体２０を回路内に組み込むことができる。従って、本実施形態のノイズフィルタ１は、この点からも、回路保護機能を簡便な組付け作業で設けることができる。また、本実施形態のワイヤハーネスＷＨは、そのようなノイズフィルタ１を具備するものであり、このノイズフィルタ１が得られる効果を奏することができる。
【００６２】
［変形例１］
図１１から図１３の符号２は、本変形例のノイズフィルタを示す。このノイズフィルタ２は、前述した実施形態のノイズフィルタ１において以下の点を変更したものである。そこで、以下の説明においては、実施形態のノイズフィルタ１と同じ部品や同等の機能を為す部位等について、便宜上、そのノイズフィルタ１と同じ符号を付し、その説明を省略する。本変形例では、第１電線ＷＥ１をアース線として利用し、第２電線ＷＥ２を電源線として利用する。
【００６３】
このノイズフィルタ２は、実施形態の第１回路接続部材１２と第２回路接続部材１３を第１回路接続部材１１２と第２回路接続部材１１３に置き換えることによって、実施形態のフィルタ回路１０をフィルタ回路１１０に置き換えている（図１１、図１３及び図１４）。この例示の第１回路接続部材１１２と第２回路接続部材１１３は、各々、金属等の導電性材料で板状のバスバとして成形されている。
【００６４】
第１回路接続部材１１２は、素子側接続部として利用される素子側接続体１１２ａと、電線側接続部として利用される電線側接続体１１２ｂと、を有する（図１１、図１３及び図１４）。この例示の第１回路接続部材１１２は、矩形の平板状の素子側接続体１１２ａと矩形の平板状の電線側接続体１１２ｂとを直交させたＬ字状に成形している。
【００６５】
この例示の素子側接続体１１２ａは、Ｌ字の内側に配置されている一方の平面が素子側接続部として利用され、その平面にノイズ低減素子１１の第１素子接続部が電気接続される（図１１、図１３及び図１４）。
【００６６】
また、電線側接続体１１２ｂには、弾性変形が可能な弾性接点１１２ｃを設けている（図１１、図１３及び図１４）。その弾性接点１１２ｃは、電線側接続部として利用され、第１電線ＷＥ１の中間接続部ＷＥａ１に対して間接的又は直接的に電気接続させる。この例示の弾性接点１１２ｃは、電線側接続体１１２ｂの一部であり、平行な２本の貫通孔に挟まれた部位が素子側接続体１１２ａ側にプレス成形等で押し出された両持ちの片体状で且つ弾性を持つ片部として形成されている。
【００６７】
第２回路接続部材１１３は、素子側接続部として利用される素子側接続体１１３ａと、電線側接続部として利用される電線側接続体１１３ｂと、を有する（図１１、図１３及び図１４）。この例示の第２回路接続部材１１３は、矩形の平板状の素子側接続体１１３ａと矩形の平板状の電線側接続体１１３ｂとを直交させたＬ字状に成形している。
【００６８】
この例示の素子側接続体１１３ａは、Ｌ字の内側に配置されている一方の平面が素子側接続部として利用され、その平面にノイズ低減素子１１の第２素子接続部が電気接続される（図１１、図１３及び図１４）。
【００６９】
また、この例示の電線側接続体１１３ｂは、Ｌ字の外側に配置されている他方の平面が電線側接続部として利用され、第２電線ＷＥ２の中間接続部ＷＥａ２に対して間接的又は直接的に電気接続させる。
【００７０】
このフィルタ回路１１０においては、電線側接続体１１２ｂと電線側接続体１１３ｂにおけるＬ字の内側の一方の平面同士を互いに間隔を空けて対向配置させ、かつ、素子側接続体１１２ａと素子側接続体１１３ａとを互いに間隔を空けて対向配置させる。このフィルタ回路１１０においては、そのように互いに間隔を空けて並列配置された第１回路接続部材１１２と第２回路接続部材１１３のそれぞれの素子側接続体１１２ａ，１１３ａに対してノイズ低減素子１１を載せ置いた上で、これらを物理的且つ電気的に接続させる。各々の接続形態としては、ノイズ低減素子１１の第１素子接続部や第２素子接続部の形態に応じて、例えば溶着や半田付け等が適用される。
【００７１】
このフィルタ回路１１０においては、そのようなノイズ低減素子１１と第１及び第２の回路接続部材１１２，１１３の接続によって、ノイズ低減素子１１を間に置いて、それぞれの電線側接続体１１２ｂ，１１３ｂが配置される。このノイズフィルタ２においては、これらのノイズ低減素子１１とそれぞれの電線側接続体１１２ｂ，１１３ｂの配列方向に対する直交方向が軸線方向となるように、第１電線ＷＥ１と第２電線ＷＥ２とを配置する。その第１電線ＷＥ１と第２電線ＷＥ２は、後述する筐体１５０の収容室１５０ａに並列配置状態で収容して、その収容室１５０ａの中で併走させる。
【００７２】
このノイズフィルタ２は、第１電線ＷＥ１とノイズ低減素子１１との間又は第２電線ＷＥ２とノイズ低減素子１１との間に回路保護体１２０を設けている（図１３、図１５及び図１６）。この例示では、第２電線ＷＥ２とノイズ低減素子１１との間に回路保護体１２０を介装させている。
【００７３】
回路保護体１２０は、所謂ヒューズとしての機能を為すためのものである。この回路保護体１２０は、ノイズ低減素子１１の第２素子接続部に対して間接的に電気接続させる第１電気接続部１２１と、第２電線ＷＥ２の中間接続部ＷＥａ２に対して間接的又は直接的に電気接続させる第２電気接続部１２２と、第１電気接続部１２１と第２電気接続部１２２との間に設けた可溶部１２３と、を有する（図１３、図１５及び図１６）。この回路保護体１２０においては、第１電気接続部１２１と第２電気接続部１２２の体積に対して可溶部１２３の体積を極小にしている。
【００７４】
この例示では、第１電気接続部１２１を第２回路接続部材１１３の電線側接続体１１３ｂにおける他方の平面に対向配置させ且つ接触させることによって、この第１電気接続部１２１をノイズ低減素子１１の第２素子接続部に対して間接的に電気接続させる。また、この例示では、第２電気接続部１２２を第２電線ＷＥ２の中間接続部ＷＥａ２に対向配置させ且つ間接的又は直接的に接触させることによって、この第２電気接続部１２２を第２電線ＷＥ２の中間接続部ＷＥａ２に対して間接的又は直接的に電気接続させる。
【００７５】
このノイズフィルタ２においては、これらの変更に伴い、実施形態の第１電気接続構造３０と第２電気接続構造４０を第１電気接続構造１３０と第２電気接続構造１４０に置き換えている（図１１及び図１３）。
【００７６】
第１電気接続構造１３０は、第１回路接続部材１１２と、この第１回路接続部材１１２の弾性接点１１２ｃとの間で第１電線ＷＥ１の中間接続部ＷＥａ１に対して間接的又は直接的に弾性接点１１２ｃに向けた押圧力を作用させる第１押圧体１３１と、を備える（図１３、図１５及び図１６）。つまり、この第１電気接続構造１３０は、弾性接点１１２ｃと第１電線ＷＥ１の中間接続部ＷＥａ１と第１押圧体１３１とを一列に並べて配置し、これらの配列方向に沿って、弾性接点１１２ｃと中間接続部ＷＥａ１との間を間接的又は直接的に電気接続させる。その第１押圧体１３１は、後述するように第２筐体部材１５２に設け、第１筐体部材１５１と第２筐体部材１５２との組付け完了位置で押圧力を作用させる。
【００７７】
この例示の第１電気接続構造１３０は、実施形態の電線接続部材３２と同様の電線接続部材１３２を第１電線ＷＥ１の中間接続部ＷＥａ１に備えている（図１１及び図１３）。よって、この例示の第１電気接続構造１３０においては、その電線接続部材１３２を介して第１押圧体１３１の押圧力を第１電線ＷＥ１の中間接続部ＷＥａ１に間接的に作用させ、かつ、その押圧力で電線接続部材１３２を弾性接点１１２ｃに押し付けることによって、弾性接点１１２ｃと中間接続部ＷＥａ１との間を間接的に電気接続させている。
【００７８】
第２電気接続構造１４０は、第２回路接続部材１１３と、第１電気接続部１２１を第２回路接続部材１１３の電線側接続体１１３ｂに接触させ、かつ、第２電気接続部１２２を第２電線ＷＥ２の中間接続部ＷＥａ２に対して間接的又は直接的に電気接続させる回路保護体１２０と、その回路保護体１２０が設けられた後述する介装体１５３と、電線側接続体１１３ｂとの間で第２電線ＷＥ２の中間接続部ＷＥａ２に対して間接的又は直接的に電線側接続体１１３ｂに向けた押圧力を作用させる第２押圧体１４１と、を備える（図１１及び図１３）。つまり、この第２電気接続構造１４０は、電線側接続体１１３ｂと第１電気接続部１２１と介装体１５３と第２電気接続部１２２と第２電線ＷＥ２の中間接続部ＷＥａ２と第２押圧体１４１とを一列に並べて配置し、これらの配列方向に沿って、電線側接続体１１３ｂと第１電気接続部１２１との間を直接的に電気接続させ、かつ、第２電気接続部１２２と中間接続部ＷＥａ２との間を間接的又は直接的に電気接続させる。その第２押圧体１４１は、後述するように第１筐体部材１５１に設ける。そして、この第２押圧体１４１は、第１筐体部材１５１と第２筐体部材１５２とが組付け完了位置のときに介装体１５３側から押動されて、その押動力に対する反力を押圧力として中間接続部ＷＥａ２に作用させる。
【００７９】
この例示の第２電気接続構造１４０は、実施形態の電線接続部材４２と同様の電線接続部材１４２を第２電線ＷＥ２の中間接続部ＷＥａ２に備えている（図１１及び図１３）。よって、この例示の第２電気接続構造１４０においては、その電線接続部材１４２を介して第２押圧体１４１の押圧力を第２電線ＷＥ２の中間接続部ＷＥａ２に間接的に作用させ、かつ、その押圧力で電線接続部材１４２を第２電気接続部１２２に押し付けることによって、第２電気接続部１２２と中間接続部ＷＥａ２との間を間接的に電気接続させている。また、この第２電気接続構造１４０においては、その押圧力で第１電気接続部１２１を電線側接続体１１３ｂに押し付けることによって、電線側接続体１１３ｂと第１電気接続部１２１との間を直接的に電気接続させている。
【００８０】
ここで、実施形態でも示したように、第１電気接続構造１３０と第２電気接続構造１４０は、第１電線ＷＥ１と第２電線ＷＥ２とが丸導体等の単線を芯線ＷＥａとして備えている場合、又は、第１電線ＷＥ１と第２電線ＷＥ２にてそれぞれの中間接続部ＷＥａ１，ＷＥａ２における複数本の素線が熱圧着等で溶着して一纏めに固着されている場合、電線接続部材１３２や電線接続部材１４２を備えずともよい。この場合の第１電気接続構造１３０においては、第１押圧体１３１の押圧力を第１電線ＷＥ１の中間接続部ＷＥａ１に直接的に作用させ、かつ、その押圧力で中間接続部ＷＥａ１を弾性接点１１２ｃに押し付けることによって、弾性接点１１２ｃと中間接続部ＷＥａ１との間が直接的に電気接続される。また、この場合の第２電気接続構造１４０においては、第２押圧体１４１の押圧力を第２電線ＷＥ２の中間接続部ＷＥａ２に直接的に作用させることによって、その押圧力で中間接続部ＷＥａ２が第２電気接続部１２２に押し付けられ、かつ、その押圧力で第１電気接続部１２１が電線側接続体１１３ｂに押し付けられる。よって、この第２電気接続構造１４０においては、第２電気接続部１２２と中間接続部ＷＥａ２との間が直接的に電気接続され、かつ、電線側接続体１１３ｂと第１電気接続部１２１との間が直接的に電気接続される。
【００８１】
このノイズフィルタ２においては、これらの変更に伴い、実施形態の筐体５０を筐体１５０に置き換えている（図１１から図１３）。
【００８２】
筐体１５０は、合成樹脂等の絶縁性材料で成形する。この筐体１５０においては、収容室１５０ａが少なくとも１つの開口を有しており、その開口がノイズ低減素子１１等を収容室１５０ａに収容する際の挿入口１５０ｂとして利用される（図１１）。この例示では、互いに組み付けられることによって筐体１５０を成す第１筐体部材１５１と第２筐体部材１５２とが設けられている（図１１から図１３）。この筐体１５０においては、第１電線ＷＥ１におけるそれぞれの端部側が内方の収容室１５０ａから外方へと引き出され、かつ、第２電線ＷＥ２におけるそれぞれの端部側が内方の収容室１５０ａから外方へと引き出される。
【００８３】
第１筐体部材１５１は、収容箱であり、ノイズ低減素子１１、第１電気接続構造１３０、第２電気接続構造１４０、第１電線ＷＥ１及び第２電線ＷＥ２が収容される収容室１５０ａを有している（図１１）。その収容室１５０ａには、ノイズ低減素子１１と共に第１回路接続部材１１２と第２回路接続部材１１３とが収容される。また、この収容室１５０ａは、挿入口１５０ｂとしての１つの開口を有している。
【００８４】
第１筐体部材１５１は、実施形態の第１筐体部材５１と同じように、主壁体１５１ａと、この主壁体１５１ａの周縁部から立設させた複数の周壁体（第１から第４の周壁体）１５１ｂ−１５１ｅと、を有する（図１１）。この例示の第１筐体部材１５１においては、矩形の平板状の主壁体１５１ａと矩形の平板状の第１から第４の周壁体１５１ｂ−１５１ｅとで囲まれた空間が収容室１５０ａとなる。また、この第１筐体部材１５１においては、第１から第４の周壁体１５１ｂ−１５１ｅの縁部から成る矩形の開口が挿入口１５０ｂとして利用される。この筐体１５０においては、実施形態と同じように、主壁体１５１ａの内壁面１５１ａ１にフィルタ回路１１０を設置する（図１３）。
【００８５】
この第１筐体部材１５１には、第２電気接続構造１４０の第２押圧体１４１が設けられている（図１１及び図１３）。この例示では、第４周壁体１５１ｅに第２押圧体１４１を設けている。この例示の第２押圧体１４１は、収容室１５０ａ内で自由端側を浮き上がらせた片持ちの片体状で且つ弾性を持つ片部として形成している。
【００８６】
第２筐体部材１５２は、実施形態の第２筐体部材１５２と同じように、第１筐体部材１５１の収容室１５０ａにおける開口（挿入口１５０ｂ）を塞ぐ閉塞壁体１５２ａと、この閉塞壁体１５２ａの周縁部から立設させた複数の周壁体（第１から第４の周壁体）１５２ｂ−１５２ｅと、を有する（図１５及び図１６）。この例示では、閉塞壁体１５２ａと第１から第４の周壁体１５２ｂ−１５２ｅとを各々矩形の平板状に形成している。
【００８７】
この第２筐体部材１５２には、第１電気接続構造１３０の第１押圧体１３１が設けられている（図１５及び図１６）。この例示では、第１筐体部材１５１と第２筐体部材１５２とが組付け完了位置のときにノイズ低減素子１１と第１電線ＷＥ１の中間接続部ＷＥａ１との間に挿入されるように、閉塞壁体１５２ａの内壁面１５２ａ１に第１押圧体１３１を突出状態で設けている。
【００８８】
この第１押圧体１３１は、第１筐体部材１５１に対する第２筐体部材１５２の組付け方向に向かうほどノイズ低減素子１１に近づき、かつ、第１筐体部材１５１と第２筐体部材１５２とが組付け完了位置のときに第１電線ＷＥ１の中間接続部ＷＥａ１に対して間接的又は直接的に押圧力を作用させる傾斜面１３１ａを有する（図１３及び図１５）。その傾斜面１３１ａは、第１筐体部材１５１に対する第２筐体部材１５２の組付けが進むに連れて中間接続部ＷＥａ１に対して間接的又は直接的に接触し、その組付けが更に進むことによって、中間接続部ＷＥａ１に対して間接的又は直接的に押圧力を作用させていく。
【００８９】
この例示の第１押圧体１３１は、第１筐体部材１５１に対する第２筐体部材１５２の組付け方向に向けて垂設させた垂設面１３１ｂをノイズ低減素子１１側に有しており、その垂設面１３１ｂと傾斜面１３１ａとを有する楔形状に形成している（図１３及び図１６）。
【００９０】
例えば、この第１押圧体１３１は、押圧力を傾斜面１３１ａから中間接続部ＷＥａ１に対して間接的又は直接的に作用させているときに変形不能な剛体として形成する。これにより、この第１押圧体１３１は、傾斜面１３１ａが中間接続部ＷＥａ１に対して間接的又は直接的に接触してから第１筐体部材１５１と第２筐体部材１５２の組付けが完了するまでの間、中間接続部ＷＥａ１に対して間接的又は直接的に押圧力を作用させ続けることができる。
【００９１】
また、この第１押圧体１３１は、押圧力を傾斜面１３１ａから中間接続部ＷＥａ１に対して間接的又は直接的に作用させているときに撓ませることができるように形成してもよい。例えば、第１押圧体１３１は、中間接続部ＷＥａ１側からノイズ低減素子１１側に向け且つノイズ低減素子１１側から中間接続部ＷＥａ１側に向けた撓みが可能な可撓性を有し、遅くとも第１筐体部材１５１と第２筐体部材１５２とが組付け完了状態となったときに、中間接続部ＷＥａ１とノイズ低減素子１１との間に挟持されて、中間接続部ＷＥａ１に対して傾斜面１３１ａから間接的又は直接的に押圧力を作用させるものとして形成する。
【００９２】
この筐体１５０においては、対向配置状態の第１周壁体１５１ｂ，１５２ｂと対向配置状態の第２周壁体１５１ｃ，１５２ｃから第１電線ＷＥ１と第２電線ＷＥ２とを外方に引き出させる。よって、それぞれの第１周壁体１５１ｂ，１５２ｂには、各々、第１電線ＷＥ１の一方の端部側を外方に引き出させる第１引出口１５１ｂ１，１５２ｂ１と、第２電線ＷＥ２の一方の端部側を外方に引き出させる第２引出口１５１ｂ２，１５２ｂ２と、が形成されている（図１１、図１５及び図１６）。また、それぞれの第２周壁体１５１ｃ，１５２ｃには、各々、第１電線ＷＥ１の他方の端部側を外方に引き出させる第３引出口１５１ｃ１，１５２ｃ１と、第２電線ＷＥ２の他方の端部側を外方に引き出させる第４引出口１５１ｃ２，１５２ｃ２と、が形成されている（図１１、図１５及び図１６）。
【００９３】
このノイズフィルタ２においては、第２筐体部材１５２に回路保護体１２０を設ける。この例示の第２筐体部材１５２は、回路保護体１２０が設けられた介装体１５３を有している（図１３、図１５及び図１６）。その介装体１５３は、第１筐体部材１５１と第２筐体部材１５２の組付け完了位置で第２回路接続部材１１３と第２電線ＷＥ２の中間接続部ＷＥａ２との間に介在させる。
【００９４】
この介装体１５３は、第１筐体部材１５１と第２筐体部材１５２の組付け完了位置で第２回路接続部材１１３に対向配置され、かつ、その組付け完了位置で第２回路接続部材１１３に接触させるべく第１電気接続部１２１が設けられた第１壁面１５３ａを有している（図１５）。更に、この介装体１５３は、第１筐体部材１５１と第２筐体部材１５２の組付け完了位置で第２電線ＷＥ２の中間接続部ＷＥａ２に対向配置され、かつ、その組付け完了位置で第２電線ＷＥ２の中間接続部ＷＥａ２に対して間接的又は直接的に電気接続させるべく第２電気接続部１２２が設けられた第２壁面１５３ｂを有している（図１６）。
【００９５】
この例示の介装体１５３は、閉塞壁体１５２ａの内壁面１５２ａ１に突出状態で設け、第１筐体部材１５１と第２筐体部材１５２の組付け完了位置で第２回路接続部材１１３の電線側接続体１１３ｂと第２電線ＷＥ２の中間接続部ＷＥａ２との間に介在させる。よって、この例示の介装体１５３においては、第１筐体部材１５１と第２筐体部材１５２とが組付け完了位置のときに、第１壁面１５３ａが電線側接続体１１３ｂに対向配置されている。
【００９６】
この例示の第１壁面１５３ａは、第１筐体部材１５１に対する第２筐体部材１５２の組付け方向に向けて垂設させた垂設面として形成し、第１筐体部材１５１と第２筐体部材１５２とが組付け完了位置のときに、電線側接続体１１３ｂの他方の平面に対して面接触させる。
【００９７】
一方、この例示の第２壁面１５３ｂは、第１筐体部材１５１に対する第２筐体部材１５２の組付け方向に向かうほどノイズ低減素子１１に近づき、かつ、第１筐体部材１５１と第２筐体部材１５２とが組付け完了位置のときに第２電線ＷＥ２の中間接続部ＷＥａ２に対して間接的又は直接的に押圧力を作用させる傾斜面として形成している。尚、第２壁面１５３ｂについては、第２押圧体１４１の押圧力を中間接続部ＷＥａ２側から受けることができるので、必ずしも中間接続部ＷＥａ２側への押圧力の付与が可能な傾斜面である必要はない。
【００９８】
この例示の介装体１５３は、第１押圧体１３１と同じように楔形状に形成している（図１３、図１５及び図１６）。ここでは、第２押圧体１４１の押圧力を中間接続部ＷＥａ２側から受けるべく、変形不能な剛体として形成している。
【００９９】
この例示の介装体１５３においては、矩形の第１壁面１５３ａに矩形の第１電気接続部１２１を設け、矩形の第２壁面１５３ｂに矩形の第２電気接続部１２２を設けている。ここでは、第１電気接続部１２１が第１壁面１５３ａと同一の平面を有し、その平面が第２回路接続部材１１３の電線側接続体１１３ｂに対する接触面となるように、第１壁面１５３ａに第１電気接続部１２１を設ける。更に、ここでは、第２電気接続部１２２が第２壁面１５３ｂと同一の平面を有し、その平面が第２電線ＷＥ２の中間接続部ＷＥａ２側に対する接触面となるように、第２壁面１５３ｂに第２電気接続部１２２を設ける。また更に、この例示の介装体１５３においては、突出方向側の先端（第１壁面１５３ａと第２壁面１５３ｂの仮想交差部側）に端面を設け、その端面に可溶部１２３を設けている。例えば、介装体１５３は、回路保護体１２０における少なくとも第１電気接続部１２１と第２電気接続部１２２のそれぞれの接触面を露出させたインサート成形で形成する。また、回路保護体１２０は、介装体１５３の表面（第１壁面１５３ａや第２壁面１５３ｂ等）に対してメッキ加工によって設けられたものであってもよい。
【０１００】
このノイズフィルタ２においては、フィルタ回路１１０を収容室１５０ａに収容した上で（図１７）、第１電線ＷＥ１の中間接続部ＷＥａ１と第２電線ＷＥ２の中間接続部ＷＥａ２とを挿入口１５０ｂから収容室１５０ａに収容する（図１８）。その第１電線ＷＥ１と第２電線ＷＥ２の収容に際して、第１筐体部材１５１においては、第１電線ＷＥ１が第１引出口１５１ｂ１と第３引出口１５１ｃ１とに挿入され、第２電線ＷＥ２が第２引出口１５１ｂ２と第４引出口１５１ｃ２とに挿入される。
【０１０１】
このノイズフィルタ２においては、その第１筐体部材１５１に第２筐体部材１５２を組み付ける（図１３）。ここでは、挿入口１５０ｂを塞ぎ、かつ、第１電線ＷＥ１を第１引出口１５２ｂ１と第３引出口１５２ｃ１とに挿入させると共に、第２電線ＷＥ２を第２引出口１５２ｂ２と第４引出口１５２ｃ２とに挿入させるように、第２筐体部材１５２を第１筐体部材１５１に組み付ける。
【０１０２】
この例示のノイズフィルタ２においては、第２筐体部材１５２を第１筐体部材１５１に組み付けていくことで、第１押圧体１３１の傾斜面１３１ａが電線接続部材１３２に接触し、かつ、介装体１５３の第１壁面１５３ａに設けた第１電気接続部１２１が電線側接続体１１３ｂに接触し、かつ、介装体１５３の第２壁面１５３ｂに設けた第２電気接続部１２２が電線接続部材１４２に接触する。この例示のノイズフィルタ２においては、第１筐体部材１５１と第２筐体部材１５２の組付けが更に進むことで、第１押圧体１３１の傾斜面１３１ａが押圧力で電線接続部材１３２を押動しながら、その電線接続部材１３２を弾性接点１２ｃに押し付けていく。よって、この例示のノイズフィルタ２においては、第１筐体部材１５１と第２筐体部材１５２との組付けが完了したときに、弾性接点１１２ｃと中間接続部ＷＥａ１との間が間接的に電気接続させられる。また、この例示のノイズフィルタ２においては、第１筐体部材１５１と第２筐体部材１５２の組付けが更に進むことで、第１電気接続部１２１と電線側接続体１１３ｂの接触状態が保たれながら、第２電気接続部１２２が押圧力で電線接続部材１４２を押動しつつ、その電線接続部材１４２が第２押圧体１４１を弾性変形させていく。よって、この例示のノイズフィルタ２においては、第１筐体部材１５１と第２筐体部材１５２との組付けが完了したときに、第２押圧体１４１が反力としての押圧力を電線接続部材１４２に作用させるので、その電線接続部材１４２を第２電気接続部１２２と第２押圧体１４１とで挟持しつつ、第１電気接続部１２１と電線側接続体１１３ｂの接触状態を保つことができる。従って、この例示のノイズフィルタ２においては、第１筐体部材１５１と第２筐体部材１５２との組付けが完了したときに、電線側接続体１１３ｂと第１電気接続部１２１との間が直接的に電気接続させられ、かつ、第２電気接続部２２と中間接続部ＷＥａ２との間が間接的に電気接続させられる。
【０１０３】
例えば、このノイズフィルタ２は、第１電線ＷＥ１及び第２電線ＷＥ２と共に幹線ＷＴに粘着テープ（図示略）等で固定して、その幹線ＷＴに抱きかかえさせる。これにより、第１電線ＷＥ１と第２電線ＷＥ２へのノイズフィルタ２の取り付けが完了する。
【０１０４】
以上示したように、本変形例のノイズフィルタ２は、自らに回路保護体１２０が設けられているので、第１電線ＷＥ１及び第２電線ＷＥ２に取り付けるだけで回路保護機能を持たせることができる。従って、本変形例のノイズフィルタ２は、回路保護機能を簡便な組付け作業で設けることができる。更に、本変形例のノイズフィルタ２は、回路保護体１２０を介装体１５３と共に第２筐体部材１５２に予め設置しておくことによって、第１筐体部材１５１と第２筐体部材１５２とを組み付けるだけの簡便な作業で、回路保護体１２０を組み付けることができる。つまり、このノイズフィルタ２は、組付け工程を増やすことなく、回路保護体１２０を回路内に組み込むことができる。従って、本変形例のノイズフィルタ２は、この点からも、回路保護機能を簡便な組付け作業で設けることができる。また、本変形例のワイヤハーネスＷＨは、そのようなノイズフィルタ２を具備するものであり、このノイズフィルタ２が得られる効果を奏することができる。
【０１０５】
［変形例２］
図１９から図２２の符号３は、本変形例のノイズフィルタを示す。このノイズフィルタ３は、前述した実施形態のノイズフィルタ１において以下の点を変更したものである。そこで、以下の説明においては、実施形態のノイズフィルタ１と同じ部品や同等の機能を為す部位等について、便宜上、そのノイズフィルタ１と同じ符号を付し、その説明を省略する。本変形例では、第１電線ＷＥ１をアース線として利用し、第２電線ＷＥ２を電源線として利用する。
【０１０６】
このノイズフィルタ３は、第１電線ＷＥ１の中間接続部ＷＥａ１に対して物理的且つ電気的に接続された電線接続部材２３２と、第２電線ＷＥ２の中間接続部ＷＥａ２に対して物理的且つ電気的に接続された電線接続部材２４２と、を備え、その電線接続部材２３２，２４２の間にノイズ低減素子１１を介在させる（図１９、図２１及び図２２）。
【０１０７】
電線接続部材２３２は、金属等の導電性材料で成形する。この電線接続部材２３２は、電線接続体２３２ａと接点２３２ｂとを有する（図１９及び図２２）。
【０１０８】
電線接続体２３２ａは、間隔を空けて対向配置された２つの矩形の片部を第１電線ＷＥ１の中間接続部ＷＥａ１に巻き付けて加締め圧着させたものである。この電線接続体２３２ａは、このように第１電線ＷＥ１の中間接続部ＷＥａ１に組み付けることによって、その中間接続部ＷＥａ１に対して直接的に電気接続させる。
【０１０９】
接点２３２ｂは、第１電線ＷＥ１の中間接続部ＷＥａ１に組み付けた電線接続体２３２ａから第１電線ＷＥ１の軸線方向に対する直交方向に突出させ、ノイズ低減素子１１の第１素子接続部に対向配置させる。この接点２３２ｂは、矩形の平板状の基部２３２ｂ１と、ノイズ低減素子１１の第１素子接続部に接触させる接点部２３２ｂ２と、を有する（図１９、図２１及び図２２）。基部２３２ｂ１は、第１電線ＷＥ１の軸線方向に対する直交平面を有するものであり、その軸線方向で一方の直交平面をノイズ低減素子１１の第１素子接続部に間隔を空けて対向配置させる。接点部２３２ｂ２は、その第１素子接続部との間での安定した接触荷重を得るべく、基部２３２ｂ１の一方の直交平面から膨出させた膨出形状のものとして形成する。この接点部２３２ｂ２は、ノイズ低減素子１１毎に設け、ノイズ低減素子１１の第１素子接続部に第１電線ＷＥ１の軸線方向で接触させる。
【０１１０】
電線接続部材２４２は、金属等の導電性材料で成形する。この電線接続部材２４２は、電線接続体２４２ａと接点２４２ｂとを有する（図１９及び図２２）。
【０１１１】
電線接続体２４２ａは、間隔を空けて対向配置された２つの矩形の片部を第２電線ＷＥ２の中間接続部ＷＥａ２に巻き付けて加締め圧着させたものである。この電線接続体２４２ａは、このように第２電線ＷＥ２の中間接続部ＷＥａ２に組み付けることによって、その中間接続部ＷＥａ２に対して直接的に電気接続させる。
【０１１２】
接点２４２ｂは、第２電線ＷＥ２の中間接続部ＷＥａ２に組み付けた電線接続体２４２ａから第２電線ＷＥ２の軸線方向に対する直交方向に突出させ、ノイズ低減素子１１の第２素子接続部に対向配置させる。この接点２４２ｂは、矩形の平板状の基部２４２ｂ１と、ノイズ低減素子１１の第２素子接続部に向けて膨出させた接点部２４２ｂ２と、を有する（図１９、図２１及び図２２）。基部２４２ｂ１は、第２電線ＷＥ２の軸線方向に対する直交平面を有するものであり、その軸線方向で一方の直交平面をノイズ低減素子１１の第２素子接続部に間隔を空けて対向配置させる。接点部２４２ｂ２は、基部２４２ｂ１の一方の直交平面から膨出させた膨出形状のものとして形成し、第２電線ＷＥ２の軸線方向でノイズ低減素子１１の第２素子接続部に間隔を空けて対向配置させる。
【０１１３】
このノイズフィルタ３においては、この電線接続部材２３２，２４２のそれぞれの接点２３２ｂ，２４２ｂの間にノイズ低減素子１１を配置し、これらの配列方向が軸線方向となるように第１電線ＷＥ１と第２電線ＷＥ２とを配置する。この例示では、その併走させた第１電線ＷＥ１と第２電線ＷＥ２の間にノイズ低減素子１１を配置している（図２２）。
【０１１４】
このノイズフィルタ３においては、これらの変更に伴い、実施形態の筐体５０を筐体２５０に置き換えている（図１９から図２２）。
【０１１５】
筐体２５０は、合成樹脂等の絶縁性材料で成形する。この筐体２５０においては、収容室２５０ａが少なくとも１つの開口を有しており、その開口がノイズ低減素子１１等を収容室２５０ａに収容する際の挿入口２５０ｂとして利用される（図１９）。この例示では、互いに組み付けられることによって筐体２５０を成す第１筐体部材２５１と第２筐体部材２５２とが設けられている（図１９から図２２）。この筐体２５０においては、第１電線ＷＥ１におけるそれぞれの端部側が内方の収容室２５０ａから外方へと引き出され、かつ、第２電線ＷＥ２におけるそれぞれの端部側が内方の収容室２５０ａから外方へと引き出される。
【０１１６】
第１筐体部材２５１は、収容箱であり、ノイズ低減素子１１、後述する第１電気接続構造２３０、後述する第２電気接続構造２４０、第１電線ＷＥ１及び第２電線ＷＥ２が収容される収容室２５０ａを有している（図１９）。その収容室２５０ａは、挿入口２５０ｂとしての１つの開口を有している。
【０１１７】
第１筐体部材２５１は、実施形態の第１筐体部材５１と同じように、主壁体２５１ａと、この主壁体２５１ａの周縁部から立設させた複数の周壁体（第１から第４の周壁体）２５１ｂ−２５１ｅと、を有する（図１９）。この例示の第１筐体部材２５１においては、矩形の平板状の主壁体２５１ａと矩形の平板状の第１から第４の周壁体２５１ｂ−２５１ｅとで囲まれた空間が収容室２５０ａとなる。また、この第１筐体部材２５１においては、第１から第４の周壁体２５１ｂ−２５１ｅの縁部から成る矩形の開口が挿入口２５０ｂとして利用される。この筐体２５０においては、主壁体２５１ａの内壁面２５１ａ１にノイズ低減素子１１を設置する（図２１）。
【０１１８】
第２筐体部材２５２は、実施形態の第２筐体部材１５２と同じように、第１筐体部材２５１の収容室２５０ａにおける開口（挿入口２５０ｂ）を塞ぐ閉塞壁体２５２ａと、この閉塞壁体２５２ａの周縁部から立設させた複数の周壁体（第１から第４の周壁体）２５２ｂ−２５２ｅと、を有する（図１９）。この例示では、閉塞壁体２５２ａと第１から第４の周壁体２５２ｂ−２５２ｅとを各々矩形の平板状に形成している。
【０１１９】
この筐体２５０においては、対向配置状態の第１周壁体２５１ｂ，２５２ｂと対向配置状態の第２周壁体２５１ｃ，２５２ｃから第１電線ＷＥ１と第２電線ＷＥ２とを外方に引き出させる。ここでの具体的な説明は省略するが、その第１周壁体２５１ｂ，２５２ｂと対向配置状態の第２周壁体２５１ｃ，２５２ｃには、実施形態と同様の第１から第４の引出口が形成されている。
【０１２０】
更に、このノイズフィルタ３は、第１電線ＷＥ１とノイズ低減素子１１との間又は第２電線ＷＥ２とノイズ低減素子１１との間に回路保護体２２０を設けている（図１９及び図２１から図２４）。その回路保護体２２０は、ノイズ低減素子１１の第１素子接続部と電線接続部材２３２の接点２３２ｂとの間、又は、ノイズ低減素子１１の第２素子接続部と電線接続部材２４２の接点２４２ｂとの間に介在させる。この例示では、ノイズ低減素子１１の第２素子接続部と電線接続部材２４２の接点２４２ｂとの間に介在させている。
【０１２１】
回路保護体２２０は、所謂ヒューズとしての機能を為すためのものである。本変形例の回路保護体２２０は、金属等の導電性部材で１つの部品として成形されている。ここでは、金属板を母材にしたプレス成形で折り曲げ加工等が施されている。この回路保護体２２０は、ノイズ低減素子１１の第２素子接続部に接触させる第１電気接続部２２１と、電線接続部材２４２の接点２４２ｂに接触させる第２電気接続部２２２と、第１電気接続部２２１と第２電気接続部２２２との間に設けた可溶部２２３と、を有する（図２１及び図２２）。この回路保護体２２０においては、第１電気接続部２２１と第２電気接続部２２２の体積に対して可溶部２２３の体積を極小にしている。
【０１２２】
第１電気接続部２２１は、ノイズ低減素子１１の第２素子接続部との間で第２電線ＷＥ２の軸線方向に弾性変形し得るものとして形成する。この例示の第１電気接続部２２１は、矩形の平板状の基部２２１ａと、この基部２２１ａの１つの辺部を固定端とした弾性変形可能な片持ちの片部２２１ｂと、を有する（図２１、図２３及び図２４）。この片部２２１ｂは、固定端と自由端との間で屈曲部や弧状部を設けることで、ノイズ低減素子１１の第２素子接続部に対する接点部となる。
【０１２３】
第２電気接続部２２２は、第１電気接続部２２１の基部２２１ａに対して間隔を空けて対向配置させる。この例示の第２電気接続部２２２は、その基部２２１ａと同形状の矩形の平板状に形成している。可溶部２２３は、第１電気接続部２２１の基部２２１ａにおける片部２２１ｂの固定端とは逆側の辺部に設ける。この例示では、その基部２２１ａの辺部と当該辺部に対向配置されている第２電気接続部２２２の辺部とを連結させるが如く、可溶部２２３を設けている。
【０１２４】
ノイズフィルタ３は、この回路保護体２２０が設けられた介装部材２６０を備える（図１９及び図２１から図２４）。その介装部材２６０は、回路保護体２２０を保持する保持部材であり、その回路保護体２２０と共にノイズ低減素子１１の第２素子接続部と電線接続部材２４２の接点２４２ｂとの間に介在させる。
【０１２５】
この介装部材２６０は、ノイズ低減素子１１の第２素子接続部に対向配置され、かつ、その第２素子接続部に接触させるべく第１電気接続部２２１が設けられた第１壁面２６０ａを有している（図１９及び図２１から図２４）。更に、この介装部材２６０は、電線接続部材２４２の接点２４２ｂに対向配置され、かつ、その電線接続部材２４２の接点２４２ｂに接触させるべく第２電気接続部２２２が設けられた第２壁面２６０ｂを有している（図１９、図２１及び図２２）。
【０１２６】
この例示の介装部材２６０は、回路保護体２２０を保持する方体状の保持部２６１を有している（図１９及び図２１から図２４）。その保持部２６１においては、対向配置されている２つの外壁面の内の一方を第１壁面２６０ａとして利用し、その内の他方を第２壁面２６０ｂとして利用する。この介装部材２６０は、回路保護体２２０における第１電気接続部２２１の基部２２１ａと第２電気接続部２２２との間に保持部２６１を嵌入させ、その基部２２１ａと第２電気接続部２２２とに保持部２６１を挟持させることによって、回路保護体２２０を保持する。
【０１２７】
この例示のノイズフィルタ３においては、第１筐体部材２５１の収容室２５０ａにノイズ低減素子１１と第１電線ＷＥ１と第２電線ＷＥ２とを設置することによって、電線接続部材２３２の接点２３２ｂとノイズ低減素子１１と電線接続部材２４２の接点２４２ｂとを第１電線ＷＥ１と第２電線ＷＥ２の軸線方向に沿って並列配置させる。そして、この例示のノイズフィルタ３においては、その第１筐体部材２５１に第２筐体部材２５２を組付ける。この例示のノイズフィルタ３においては、その第１筐体部材２５１と第２筐体部材２５２の組付けを完了させた後で、回路保護体２２０と介装部材２６０の組立体を収容室２５０ａに収容して、ノイズ低減素子１１の第２素子接続部と電線接続部材２４２の接点２４２ｂとの間に介在させる。
【０１２８】
そこで、第２筐体部材２５２の閉塞壁体２５２ａには、回路保護体２２０と介装部材２６０の組立体を収容室２５０ａに挿入していく際の貫通孔（挿入口２５２ｆ）を形成している（図１９及び図２５）。
【０１２９】
また、介装部材２６０には、その収容室２５０ａへと挿入する際に先頭となる先端部２６２に第１傾斜面２６２ａと第２傾斜面２６２ｂを設けている（図２１、図２３及び図２４）。第１傾斜面２６２ａは、収容室２５０ａへの挿入の途中でノイズ低減素子１１の第２素子接続部に対向配置される壁面である。この第１傾斜面２６２ａは、その挿入の途中で第２素子接続部に引っ掛からないように、先端に向かうほど第２素子接続部から離れていく傾斜となっている。第２傾斜面２６２ｂは、収容室２５０ａへの挿入の途中で電線接続部材２４２の接点２４２ｂに対向配置される壁面である。この第２傾斜面２６２ｂは、その挿入の途中で接点２４２ｂに引っ掛からないように、先端に向かうほど接点２４２ｂから離れていく傾斜となっている。尚、その第１傾斜面２６２ａと第２傾斜面２６２ｂは、各々、同様の機能を為す曲面等に置き換えてもよい。
【０１３０】
また、このノイズフィルタ３においては、回路保護体２２０と介装部材２６０の組立体をノイズ低減素子１１の第２素子接続部と電線接続部材２４２の接点２４２ｂとの間に嵌入させ、第１電気接続部２２１の片部２２１ｂを弾性変形させる。このノイズフィルタ３においては、その片部２２１ｂの弾発力を押圧力として利用して、電線接続部材２３２の接点２３２ｂとノイズ低減素子１１の第１素子接続部とを互いに押し付け合わせ、かつ、ノイズ低減素子１１の第２素子接続部と第１電気接続部２２１とを互いに押し付け合わせ、かつ、第２電気接続部２２２と電線接続部材２４２の接点２４２ｂとを互いに押し付け合わせる。つまり、このノイズフィルタ３においては、第１電気接続部２２１の片部２２１ｂを弾性変形させた状態のまま収容室２５０ａに収容しておくことで、電線接続部材２３２の接点２３２ｂとノイズ低減素子１１の第１素子接続部との間、ノイズ低減素子１１の第２素子接続部と第１電気接続部２２１との間、第２電気接続部２２２と電線接続部材２４２の接点２４２ｂとの間の接触状態を保たせる。これを具現化すべく、第１筐体部材２５１には、電線接続部材２３２の接点２３２ｂの基部２３２ｂ１を接点部２３２ｂ２とは逆側から係止する第１係止部２５１ｆと、電線接続部材２４２の接点２４２ｂの基部２４２ｂ１を接点部２４２ｂ２とは逆側から係止する第２係止部２５１ｇと、を設けている（図１９、図２１及び図２２）。その第１係止部２５１ｆと第２係止部２５１ｇは、ノイズ低減素子１１の第２素子接続部と電線接続部材２４２の接点２４２ｂにおける接点部２４２ｂ２との間隔が、回路保護体２２０と介装部材２６０の組立体における第１電気接続部２２１の片部２２１ｂの外側の露出面と第２電気接続部２２２の外側の露出面との間隔よりも狭くなるように形成する。
【０１３１】
このノイズフィルタ３においては、電線接続部材２３２の接点２３２ｂと第１筐体部材２５１の第１係止部２５１ｆとで第１電気接続構造２３０が構成される。また、このノイズフィルタ３においては、回路保護体２２０と介装部材２６０と電線接続部材２４２の接点２４２ｂと第１筐体部材２５１の第２係止部２５１ｇとで第２電気接続構造２４０が構成される。
【０１３２】
本変形例のノイズフィルタ３は、このような構成を採ることで、全ての部品の組付けが完了したときに、電線接続部材２３２の接点２３２ｂとノイズ低減素子１１の第１素子接続部とが直接的に電気接続されるので、ノイズ低減素子１１と第１電線ＷＥ１の中間接続部ＷＥａ１との間を間接的に電気接続させることができる。また、このノイズフィルタ３は、全ての部品の組付けが完了したときに、ノイズ低減素子１１の第２素子接続部と第１電気接続部２２１とが直接的に電気接続され、かつ、第２電気接続部２２２と電線接続部材２４２の接点２４２ｂとが直接的に電気接続されるので、ノイズ低減素子１１と第２電線ＷＥ２の中間接続部ＷＥａ２との間を間接的に電気接続させることができる。
【０１３３】
例えば、このノイズフィルタ３は、第１電線ＷＥ１及び第２電線ＷＥ２と共に幹線ＷＴに粘着テープ（図示略）等で固定して、その幹線ＷＴに抱きかかえさせる。これにより、第１電線ＷＥ１と第２電線ＷＥ２へのノイズフィルタ３の取り付けが完了する。
【０１３４】
以上示したように、本変形例のノイズフィルタ３は、自らに回路保護体２２０が設けられているので、第１電線ＷＥ１及び第２電線ＷＥ２に取り付けるだけで回路保護機能を持たせることができる。従って、本変形例のノイズフィルタ３は、回路保護機能を簡便な組付け作業で設けることができる。更に、本変形例のノイズフィルタ３は、回路保護体２２０と介装部材２６０の組立体を差し込み挿入して組み付けるだけの簡便な作業で、回路保護体２２０を組み付けることができる。従って、本変形例のノイズフィルタ３は、この点からも、回路保護機能を簡便な組付け作業で設けることができる。また、本変形例のワイヤハーネスＷＨは、そのようなノイズフィルタ３を具備するものであり、このノイズフィルタ３が得られる効果を奏することができる。
【０１３５】
ところで、本変形例のノイズフィルタ３においては、そのような回路保護体２２０と介装部材２６０の組立体に変えて、回路保護体２７１をメッキ処理等で表面に施した介装部材２７２を用いてもよい（図２６及び図２７）。
【０１３６】
介装部材２７２は、合成樹脂等の絶縁性材料で成形する。この介装部材２７２は、先の保持部２６１と先端部２６２に相当する本体２７２ａと、第１電気接続部２２１の片部２２１ｂに相当する可撓部２７２ｂと、を有する。可撓部２７２ｂは、第１電気接続部２２１の片部２２１ｂと同様の弾性変形を可能にする部位であり、本体２７２ａに片持ち状態で支持されている。回路保護体２７１は、可撓部２７２ｂの外側の表面に設けた第１電気接続部２７１ａ（図２６）と、本体２７２ａの外側の表面に設けた第２電気接続部２７１ｂ（図２７）と、その第１電気接続部２７１ａと第２電気接続部２７１ｂとの間に設けた可溶部２７１ｃ（図２７）と、を有する。
【０１３７】
本変形例のノイズフィルタ３及びワイヤハーネスＷＨは、このような回路保護体２７１が設けられた介装部材２７２に置き換えたとしても、先の例示と同様の効果を得ることができる。
【０１３８】
また、本変形例のノイズフィルタ３においては、回路保護体２２０と介装部材２６０の組立体を図２８に示す回路保護部品２８０に置き換えてもよい。
【０１３９】
その回路保護部品２８０は、回路保護体２８１の可溶部（図示略）を内方に収める一方で、この回路保護体２８１の雄タブ状の第１電気接続部２８１ａと第２電気接続部２８１ｂを外方に突出させる絶縁性の筐体２８２を備える。ここでは、その第１電気接続部２８１ａと第２電気接続部２８１ｂを同一方向に向けて突出させ、かつ、第１電気接続部２８１ａと第２電気接続部２８１ｂのそれぞれの平面に対する直交方向を同じ向きに合わせている。
【０１４０】
この回路保護部品２８０は、挿入口２５２ｆから収容室２５０ａに収容された際に、第１電気接続部２８１ａと第２電気接続部２８１ｂのそれぞれの一方の平面をノイズ低減素子１１の第２素子接続部に対向配置させ、第１電気接続部２８１ａと第２電気接続部２８１ｂのそれぞれの他方の平面を電線接続部材２４２の接点２４２ｂに対向配置させる。この回路保護部品２８０においては、例えば、第１電気接続部２８１ａの他方の平面と第２電気接続部２８１ｂの一方の平面を絶縁部２８３で覆い隠す。これにより、この回路保護部品２８０は、収容室２５０ａに収容された際に、第１電気接続部２８１ａの一方の平面のみをノイズ低減素子１１の第２素子接続部に接触させ、かつ、第２電気接続部２８１ｂの他方の平面のみを電線接続部材２４２の接点２４２ｂに接触させることができる。
【０１４１】
本変形例のノイズフィルタ３及びワイヤハーネスＷＨは、このような回路保護部品２８０に置き換えたとしても、先の例示と同様の効果を得ることができる。そして、このノイズフィルタ３及びワイヤハーネスＷＨは、例えば、既製品としての回路保護部品に絶縁部２８３を設けたものを回路保護部品２８０として用意することもできるので、汎用性を高めたり、原価の低減を図ったりすることができる。
【符号の説明】
【０１４２】
１，２，３  ノイズフィルタ
１０，１１０  フィルタ回路
１１  ノイズ低減素子
１２，１１２  第１回路接続部材
１３，１１３  第２回路接続部材
２０，１２０，２２０，２７１  回路保護体
２１，１２１，２２１，２７１ａ  第１電気接続部
２２，１２２，２２２，２７１ｂ  第２電気接続部
２３，１２３，２２３，２７１ｃ  可溶部
３０，１３０，２３０  第１電気接続構造
４０，１４０，２４０  第２電気接続構造
５０，１５０，２５０  筐体
５０ａ，１５０ａ，２５０ａ  収容室
５０ｂ，１５０ｂ，２５０ｂ  挿入口（開口）
５１，１５１，２５１  第１筐体部材
５１ｂ−５１ｅ  周壁体（第１から第４の周壁体）
５２，１５２，２５２  第２筐体部材
５３  可倒体
５３ａ  第１壁面
５３ｂ  第２壁面
１５３  介装体
１５３ａ  第１壁面
１５３ｂ  第２壁面
２４２  電線接続部材
２６０，２７２  介装部材
２６０ａ  第１壁面
２６０ｂ  第２壁面
ＷＥ１  第１電線
ＷＥａ１  中間接続部
ＷＥ２  第２電線
ＷＥａ２  中間接続部
ＷＥａ  芯線
ＷＨ  ワイヤハーネス
ＷＴ  幹線
【図１】
2020150351.tif 000003
【図２】
2020150351.tif 000004
【図３】
2020150351.tif 000005
【図４】
2020150351.tif 000006
【図５】
2020150351.tif 000007
【図６】
2020150351.tif 000008
【図７】
2020150351.tif 000009
【図８】
2020150351.tif 000010
【図９】
2020150351.tif 000011
【図１０】
2020150351.tif 000012
【図１１】
2020150351.tif 000013
【図１２】
2020150351.tif 000014
【図１３】
2020150351.tif 000015
【図１４】
2020150351.tif 000016
【図１５】
2020150351.tif 000017
【図１６】
2020150351.tif 000018
【図１７】
2020150351.tif 000019
【図１８】
2020150351.tif 000020
【図１９】
2020150351.tif 000021
【図２０】
2020150351.tif 000022
【図２１】
2020150351.tif 000023
【図２２】
2020150351.tif 000024
【図２３】
2020150351.tif 000025
【図２４】
2020150351.tif 000026
【図２５】
2020150351.tif 000027
【図２６】
2020150351.tif 000028
【図２７】
2020150351.tif 000029
【図２８】
2020150351.tif 000030